(57)【特許請求の範囲】
【請求項１】
照射された放射線に基づいて画像データを生成し、画像データに基づいて間引きデータを生成し、間引きデータを画像データよりも先に送信する可搬型放射線画像撮影装置と、
複数の撮影オーダ情報を予め選択可能で、前記可搬型放射線画像撮影装置から送信される間引きデータに基づくプレビュー画像を表示し、前記画像データに対して確定操作が行われると当該画像データを前記撮影オーダ情報と対応付けるコンソールと、
を有し、
前記コンソールは、
一の撮影オーダ情報に対応する撮影毎に、前記可搬型放射線画像撮影装置から送信される前記間引きデータに基づく前記プレビュー画像を表示し、前記プレビュー画像が承認されると次の前記撮影オーダ情報に対応する撮影を続行し、
選択された前記複数の撮影オーダ情報に対応する全ての前記プレビュー画像の承認が完了したと判断した後で、或いは入力手段による入力があったとき、それまでに承認された前記各プレビュー画像に対応する前記各画像データに対する前記確定操作を可能とすることを特徴とする放射線画像撮影システム。
【発明の詳細な説明】
【技術分野】
【０００１】
本発明は、放射線画像撮影システムに係り、特に、放射線画像撮影を行う複数の撮影室と画像データを画像処理する複数のコンソールとを備える放射線画像撮影システムに関するものである。
【背景技術】
【０００２】
照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００３】
このタイプの放射線画像撮影装置はＦＰＤ（Flat Panel Detector）として知られており、従来は支持台（或いはブッキー装置）と一体的に形成されていたが（例えば特許文献１、２参照）、近年、放射線検出素子等をハウジングに収納した可搬型の放射線画像撮影装置が開発され、実用化されている（例えば特許文献３、４参照）。
【０００４】
ところで、このような可搬型すなわち持ち運びできる放射線画像撮影装置を用いて放射線画像撮影を行う場合、後述する図１に示すような複数の撮影室Ｒと複数のコンソールＣとを備える病院や医院に設けられた放射線画像撮影システムでは、１つの放射線画像撮影装置１が撮影室Ｒ間で持ち運ばれて使用される場合がある。
【０００５】
このような場合、例えば、放射線画像撮影装置１をコンソールＣ１で登録し、無線ＬＡＮ（Local Area Network）等でコンソールＣ１との接続状態を維持したまま、放射線画像撮影装置１を撮影室Ｒ１内での放射線画像撮影に使用した後、撮影室Ｒ２で使用し、その後、さらに撮影室Ｒ４に持ち込んで使用するような場合、通常、放射線画像撮影装置１で取得した画像データ等のデータは全て最初に登録を行ったコンソールＣ１に送信されてしまうため、放射線技師等の操作者が、最後に撮影を行った撮影室からいちいちコンソールＣ１に移動して、撮影オーダと画像データとの対応付け等の処理を行わなければならず、操作者にとって使いづらいシステムになっていた。
【０００６】
そこで、このような不都合を解消するために、例えばコンソールＣ１上で操作者が撮影を行う予定の撮影オーダ情報を予め指定した後、コンソールＣ１と放射線画像撮影装置１との接続を一旦切り離し、当該放射線画像撮影装置１を用いて複数の撮影室Ｒで放射線画像撮影を行った後、コンソールＣ１と当該放射線画像撮影装置１を再接続する。そして、コンソールＣ１が当該放射線画像撮影装置１に蓄積されたデータを吸い上げて、事前に指定された撮影オーダ情報に対応付ける放射線画像撮影システムが知られている。
【０００７】
しかし、このようなシステムでは、放射線技師等の操作者は、結局、最初に撮影オーダ情報の指定を行ったコンソールＣ１に戻って処理を行わなければならず、使いづらさが必ずしも解消されない。また、各放射線画像撮影では、操作者が撮影された画像を見て、被写体が放射線画像上に撮影されているか否かや被写体が放射線画像上の適切な位置に撮影されているか否か等を確認する。
【０００８】
そして、正しく撮影されていない場合には再撮影が必要となるが、このシステムでは、再撮影の要否の判断は、全ての放射線画像撮影が終了した後でなければ行うことができない。そのため、全ての放射線画像撮影が終了するまで患者を待たせたり、或いは別の日に改めて再撮影を行わなければならず、患者に負担をかけてしまうといった問題があった。
【０００９】
そこで、特許文献５に記載の放射線画像撮影システムでは、各撮影室Ｒには複数のコンソールＣのうち特定の１つのコンソールＣがそれぞれ予め対応付けられている状況で、放射線技師等の操作者が、放射線画像撮影を行う撮影室Ｒを移動するごとにそれに対応付けられたコンソールＣに技師ＩＤを入力してログインする。すると、撮影室Ｒでの放射線画像撮影で取得されたデータはその撮影室Ｒに対応付けられたコンソールＣに送信され、コンソールＣの表示部Ｃａ上に表示される。このような放射線画像撮影システムでは、操作者がいちいち最初のコンソールＣに移動して処理を行う必要がなく、各撮影室Ｒに対応付けられたコンソールＣで処理を行うことが可能となり、操作者にとって便利なシステムとなる。
【先行技術文献】
【特許文献】
【００１０】
【特許文献１】特許第３８９０１６３号公報
【特許文献２】特開平９−７３１４４号公報
【特許文献３】特開２００６−０５８１２４号公報
【特許文献４】特開平６−３４２０９９号公報
【特許文献５】国際公開第２００５／０９６９４４号パンフレット
【発明の概要】
【発明が解決しようとする課題】
【００１１】
しかしながら、特許文献５に記載された放射線画像撮影システムの場合、放射線技師等の操作者がコンソールＣに対する技師ＩＤの入力を忘れると、撮影室Ｒで行われた放射線画像撮影のデータが、当該撮影室Ｒの前に放射線画像撮影を行った撮影室Ｒに対応付けられたコンソールＣに送信されてしまうという不都合があった。
【００１２】
また、操作者が技師ＩＤの入力等を的確に行ったとしても、各撮影室Ｒで行った放射線画像撮影の画像データに対する階調特性や濃度特性等に応じた画像処理を各撮影室Ｒにそれぞれ対応付けられたコンソールＣに戻って行わなければならず、しかる後、画像処理を行って生成した診断用放射線画像と撮影オーダとの対応付け（すなわち診断用放射線画像の確定操作）を処理を行わなければならなかった。すなわち、図１のシステムの例で言えば、撮影室Ｒ１で行った撮影のデータはコンソールＣ１で、撮影室Ｒ２で行った撮影のデータはコンソールＣ２で、撮影室Ｒ３、Ｒ４で行った撮影のデータはコンソールＣ３でそれぞれ画像処理や確定操作を行わなければならず、操作者にとって必ずしも使い勝手がよいシステムではなかった。
【００１３】
本発明は、上記の点を鑑みてなされたものであり、一連の、放射線画像撮影、再撮影要否確認、および確定操作を効率良く行うことが可能な放射線画像撮影システムを提供することを目的とする。
【課題を解決するための手段】
【００１４】
前記の問題を解決するために、本発明の放射線画像撮影システムは、
照射された放射線に基づいて画像データを生成し、画像データに基づいて間引きデータを生成し、間引きデータを画像データよりも先に送信する可搬型放射線画像撮影装置と、
複数の撮影オーダ情報を予め選択可能で、前記可搬型放射線画像撮影装置から送信される間引きデータに基づくプレビュー画像を表示し、前記画像データに対して確定操作が行われると当該画像データを前記撮影オーダ情報と対応付けるコンソールと、
を有し、
前記コンソールは、
一の撮影オーダ情報に対応する撮影毎に、前記可搬型放射線画像撮影装置から送信される前記間引きデータに基づく前記プレビュー画像を表示し、前記プレビュー画像が承認されると次の前記撮影オーダ情報に対応する撮影を続行し、
選択された前記複数の撮影オーダ情報に対応する全ての前記プレビュー画像の承認が完了したと判断した後で、或いは入力手段による入力があったとき、それまでに承認された前記各プレビュー画像に対応する前記各画像データに対する前記確定操作を可能とすることを特徴とする。
【発明の効果】
【００１５】
本発明のような方式の放射線画像撮影システムによれば、コンソールの表示部上にプレビュー画像が表示される。
【００１６】
そのため、操作者は、プレビュー画像を確認して再撮影の要否等を容易に判断することが可能となる。
【００１７】
また、操作者が再撮影の必要がないと判断した場合には、次の撮影を続行することが可能となる。
【００１８】
さらに、診断用放射線画像の確定操作の処理が、選択された複数の撮影オーダ情報に対応する全てのプレビュー画像の承認が完了したと判断した後で、或いは入力手段による入力があったときに行われる。
【００１９】
そのため、一連の、放射線画像撮影、再撮影要否確認、および確定操作を効率良く行うことが可能となる。
【図面の簡単な説明】
【００２０】
【図１】本実施形態に係る放射線画像撮影システムの全体構成を示す図である。
【図２】本実施形態に係る放射線画像撮影システムの別の全体構成を示す図である。
【図３】本実施形態に係る可搬型放射線画像撮影装置の外観斜視図である。
【図４】図３の可搬型放射線画像撮影装置を反対側から見た外観斜視図である。
【図５】図３におけるＡ−Ａ線に沿う断面図である。
【図６】可搬型放射線画像撮影装置の基板の構成を示す平面図である。
【図７】図６の基板上の小領域に形成された放射線検出素子とＴＦＴ等の構成を示す拡大図である。
【図８】ＣＯＦやＰＣＢ基板等が取り付けられた基板を説明する側面図である。
【図９】可搬型放射線画像撮影装置の等価回路を表すブロック図である。
【図１０】撮影室の構成を示す図である。
【図１１】可搬型放射線画像撮影装置がクレードルに挿入され、コネクタ同士が接続された状態を表す断面図である。
【図１２】検知手段としてタグリーダを備える撮影室の構成を示す図である。
【図１３】撮影オーダ情報の一例を示す図である。
【図１４】コンソールの表示部に表示される撮影オーダ情報が表示された選択画面の一例を示す図である。
【発明を実施するための形態】
【００２１】
以下、本発明に係る放射線画像撮影システムの実施の形態について、図面を参照して説明する。ただし、本発明は以下の図示例のものに限定されるものではない。
【００２２】
本実施形態に係る放射線画像撮影システム１００は、病院や医院内で行われる放射線画像撮影を想定したシステムであり、複数の撮影室Ｒと複数のコンソールＣと管理装置Ｓとを備えている。
【００２３】
図１に示すように、本実施形態では、放射線画像撮影システム１００では、複数の撮影室Ｒ（Ｒ１〜Ｒ４）と複数のコンソールＣ（Ｃ１〜Ｃ３）とが所定の接続の仕方で有線方式で予め接続されており、各撮影室Ｒ１〜Ｒ４には、それぞれ当該撮影室Ｒに最も近い位置にあるコンソールＣが対応付けられている。また、複数のコンソールＣには、放射線画像撮影システム１００内の情報等を管理するサーバ等からなる管理装置Ｓが、ネットワークＮを介して接続されている。
【００２４】
なお、放射線画像撮影システム１００を、図１に示した構成のほか、例えば、図２に示すように、複数の撮影室Ｒ（Ｒ１〜Ｒ４）と複数のコンソールＣ（Ｃ１〜Ｃ３）と管理装置Ｓ等がそれぞれネットワークＮを介して接続されるように構成することも可能である。なお、管理装置Ｓの機能をいずれか１つのコンソールで代用するように構成することも可能である。
【００２５】
また、図示を省略するが、ネットワークＮにさらにＨＩＳ（Hospital Information System）やＲＩＳ（Radiology Information System）が接続されるように構成することも可能であり、さらに、例えばコンソールＣから出力された画像データに基づいて放射線画像をフィルムなどの画像記録媒体に記録して出力するイメージャ等が適宜接続される。
【００２６】
ここで、まず、放射線画像撮影システム１００で放射線画像撮影に用いられる可搬型放射線画像撮影装置１について説明する。
【００２７】
なお、以下、可搬型放射線画像撮影装置を単に放射線画像撮影装置と表す。また、以下では、放射線画像撮影装置１として、シンチレータ等を備え、放射された放射線を可視光等の他の波長の電磁波に変換して電気信号を得るいわゆる間接型の放射線画像撮影装置について説明するが、本発明は、シンチレータ等を介さずに放射線を放射線検出素子で直接検出する、いわゆる直接型の放射線画像撮影装置に対しても適用することができる。
【００２８】
図３は、本実施形態に係る放射線画像撮影装置の外観斜視図であり、図４は、放射線画像撮影装置を反対側から見た外観斜視図である。また、図５は、図３のＡ−Ａ線に沿う断面図である。放射線画像撮影装置１は、図３〜図５に示すように、筐体状のハウジング２内にシンチレータ３や基板４等で構成されるセンサパネルＳＰが収納されている。
【００２９】
図３や図４に示すように、本実施形態では、筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。なお、筐体２をこのようないわゆるモノコック型として形成する代わりに、例えば、フレーム板とバック板とで形成された、いわゆる弁当箱型とすることも可能である。
【００３０】
図３に示すように、筐体２の一方側の蓋部材２Ｂには、電源スイッチ３７や選択スイッチ３８、コネクタ３９、バッテリ状態や放射線画像撮影装置１の稼働状態等を表示するＬＥＤ等で構成されたインジケータ４０等が配置されている。
【００３１】
また、図４に示すように、筐体２の反対側の蓋部材２Ｃには、画像データ等をコンソールＣに無線で転送するための通信手段であるアンテナ装置４１が埋め込まれている。なお、画像データ等をコンソールＣに有線方式で転送するように構成することも可能であり、その場合、例えば、前述したコネクタ３９にケーブル等を接続して送受信するように構成される。また、アンテナ装置４１を設ける場合には、その配置や個数は適宜決められる。
【００３２】
筐体２の内部には、図５に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００３３】
なお、本実施形態では、基板４やシンチレータ３の放射線入射面Ｒには、それらを保護するためのガラス基板３５が配設されている。また、本実施形態では、センサパネルＳＰと筐体２の側面との間に、それらがぶつかり合うことを防止するための緩衝材３６が設けられている。
【００３４】
シンチレータ３は、基板４の後述する検出部Ｐに貼り合わされるようになっている。本実施形態では、シンチレータ３は、例えば、蛍光体を主成分とし、放射線の入射を受けると３００〜８００ｎｍの波長の電磁波、すなわち可視光を中心とした電磁波に変換して出力するものが用いられる。
【００３５】
基板４は、本実施形態では、ガラス基板で構成されており、図６に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３６】
このように、走査線５と信号線６で区画された各小領域ｒに二次元状に配列された複数の放射線検出素子７が設けられた領域ｒ全体、すなわち図６に一点鎖線で示される領域が検出部Ｐとされている。
【００３７】
本実施形態では、放射線検出素子７としてフォトダイオードが用いられているが、この他にも例えばフォトトランジスタ等を用いることも可能である。各放射線検出素子７は、図６の拡大図である図７に示すように、スイッチ手段であるＴＦＴ８のソース電極８ｓに接続されている。また、ＴＦＴ８のドレイン電極８ｄは信号線６に接続されている。
【００３８】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００３９】
本実施形態では、図７に示すように、列状に配置された複数の放射線検出素子７にそれぞれバイアス線９が接続されており、図６に示すように、各バイアス線９は、基板４の検出部Ｐの外側の位置で１本の結線１０に結束されている。
【００４０】
また、各走査線５や各信号線６、バイアス線９の結線１０は、それぞれ基板４の端縁部付近に設けられた入出力端子（パッドともいう）１１に接続されている。各入出力端子１１には、図８に示すように、ＩＣ１２ａ等のチップが組み込まれたＣＯＦ（Chip On Film）１２が異方性導電接着フィルム（Anisotropic Conductive Film）や異方性導電ペースト（Anisotropic Conductive Paste）等の異方性導電性接着材料１３を介して接続されている。
【００４１】
また、ＣＯＦ１２は、基板４の裏面４ｂ側に引き回され、裏面４ｂ側で前述したＰＣＢ基板３３に接続されるようになっている。このようにして、放射線画像撮影装置１のセンサパネルＳＰの基板４部分が形成されている。なお、図８では、電子部品３２等の図示が省略されている。
【００４２】
ここで、図９を用いて放射線画像撮影装置１の回路構成について説明する。
【００４３】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（本実施形態では逆バイアス電圧）を印加するようになっている。
【００４４】
また、各放射線検出素子７の他方の電極はＴＦＴ８のソース電極８ｓ（図９中ではＳと表記されている。）に接続されており、各ＴＦＴ８のゲート電極８ｇ（図９中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図９中ではＤと表記されている。）は各信号線６にそれぞれ接続されている。
【００４５】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００４６】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００４７】
例えば、放射線画像撮影で被写体を介して放射線画像撮影装置１に放射線が照射され、シンチレータ３で放射線が他の波長の電磁波に変換されて、その直下の放射線検出素子７に照射される。そして、放射線検出素子７で照射された放射線の線量（電磁波の光量）に応じて電荷（電気信号）が発生する。
【００４８】
各放射線検出素子７からの画像データの読み出し処理においては、走査駆動手段１５のゲートドライバ１５ｂから走査線５の各ラインＬ１〜Ｌｘを介してゲート電極８ｇにオン電圧が印加されたＴＦＴ８がオン状態となり、放射線検出素子７から信号線６に電荷が放出される。
【００４９】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００５０】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００５１】
制御手段２２は、放射線画像撮影装置１の各部材の動作等を制御するようになっている。また、各放射線検出素子７のリセット処理や各放射線検出素子７からの電荷の読み出し処理、オフセット補正値を算出するために放射線を照射しない状態で放射線画像撮影装置１を放置した後に読み出し処理と同様に各放射線検出素子７に蓄積された暗電荷を読み出すダーク読取処理等の各処理を行うようになっている。
【００５２】
制御手段２２には、ＤＲＡＭ（Dynamic ＲＡＭ）等で構成される記憶手段２３や、放射線画像撮影装置１の各機能部に電力を供給するバッテリ２４が接続されている。また、制御手段２２には、前述したアンテナ装置４１が接続されている。また、制御手段２２は、後述するように、放射線画像撮影装置１がクレードル５５に挿入された際に、コネクタ３９がクレードル５５のコネクタ５５ａに接続されると、検知手段であるクレードル５５を介して後述する基地局５４に放射線画像撮影装置１の識別情報であるカセッテＩＤを通知するようになっている。
【００５３】
また、制御手段２２は、放射線画像撮影が行われると、上記のようにして各放射線検出素子７から電荷（画像データＤ）を読み出す読み出し処理を行うが、各放射線検出素子７から読み出し記憶手段２３に保存した各画像データＤに基づいて各画像データＤを所定の割合で間引いてプレビュー用の間引きデータＤｔを作成するようになっている。
【００５４】
そして、放射線画像撮影が終了して各放射線検出素子７から画像データＤが読み出されて記憶手段２３に保存されると、即座に間引きデータＤｔを作成し、間引きデータＤｔを作成すると、すぐに間引きデータＤｔに放射線画像撮影装置１の識別情報であるカセッテＩＤを付与してアンテナ装置４１を介して撮影室Ｒに対応付けられたコンソールＣに送信するようになっている。この間引きデータＤｔの送信は、放射線画像撮影ごとに行われる。
【００５５】
間引きデータＤｔは、例えば、二次元状に配列された各放射線検出素子７に対応して各画像データＤを配列した場合に３×３画素や４×４画素ごとに１画素分の画像データＤを抽出するようにして作成してもよく、或いは、走査線５の各ラインＬ１、Ｌ４、Ｌ７、…にそれぞれ接続された各放射線検出素子７からの画像データＤのように、走査線５の所定の間隔ごとの各ラインＬｎに接続された各放射線検出素子７からの画像データＤを抽出して作成するように構成することも可能である。
【００５６】
また、本実施形態では、制御手段２２は、間引きデータＤｔをコンソールＣに送信した後、当該間引きデータＤｔの作成の基となった対応する画像データＤにカセッテＩＤを付与して撮影室Ｒに対応付けられたコンソールＣに自動的に送信するようになっている。
【００５７】
また、当該撮影室Ｒにおける１つの放射線画像撮影が終了するごとに、或いは、一連の放射線画像撮影が終了した時点で、制御手段２２は、これらの放射線画像撮影で得られた画像データＤに対する画像処理のうちオフセット補正のためのデータを得るために、いわゆるダーク読取処理を自動的に行うようになっている。なお、当該撮影室Ｒにおける単独或いは一連の放射線画像撮影が開始される前に、ダーク読取処理を行うように構成することも可能である。
【００５８】
ダーク読取処理では、放射線画像撮影装置１の各ＴＦＴ８をオフ状態とし、放射線画像撮影装置１に放射線が照射されない状態で所定時間放置した後、上記の読み出し処理と同様にして各放射線検出素子７からそれらに蓄積された暗電荷等がいわゆるダーク読取値ｄとして読み出され、記憶手段２３に保存される。
【００５９】
制御手段２２は、読み出した各放射線検出素子７ごとのダーク読取値ｄ、或いは各放射線検出素子７ごとにダーク読取値ｄを平均化する等して算出したオフセット補正値Ｏに放射線検出素子１の識別情報であるカセッテＩＤを付与し、画像データＤの送信の際に、画像データＤとともに、撮影室Ｒに対応付けられたコンソールＣに自動的に送信するようになっている。従って、データの送信順は、間引きデータＤｔ、画像データＤ（rawデータ）、オフセット補正用データ（すなわちダーク読取値ｄやオフセット補正値Ｏ）の順となる。
【００６０】
ところで、本実施形態では、放射線画像撮影装置１をスクリーン／フィルムカセッテやＣＲカセッテ用のブッキー装置５１に装填することが想定されており、放射線画像撮影装置１は、ＣＲカセッテにおけるＪＩＳ規格サイズ（すなわち従来のスクリーンフィルム用のカセッテにおけるＪＩＳ規格サイズ。対応する国際規格はＩＥＣ  ６０４０６。）に準拠する１４インチ×１７インチ（半切サイズ）等の寸法で形成されている。また、放射線入射方向の厚さは１５ｍｍ＋１ｍｍ〜１５ｍｍ−２ｍｍの範囲内になるように形成されている。
【００６１】
しかし、スクリーン／フィルムカセッテやＣＲカセッテ用のブッキー装置を用いない場合には、放射線画像撮影装置１を上記の寸法で形成する必要はなく、放射線画像撮影装置１を任意の大きさや形状に形成することができる。また、その際には、ブッキー装置５１は、放射線画像撮影装置１を装填することができるように、放射線画像撮影装置１の形状にあわせて形成される新規なブッキー装置を設置する必要がある。
【００６２】
次に、図１等に示す放射線画像撮影システム１００における撮影室Ｒの構成を詳しく説明する。
【００６３】
撮影室Ｒは、患者の身体の一部である被写体（患者の撮影対象部位）に放射線を照射して放射線画像撮影を行う部屋であり、図１０に示すように、被写体に放射線を照射するための放射線照射装置の放射線発生装置５２等が配置され、放射線の撮影室外への漏洩防止が施された、いわゆる撮影室Ｒａと、放射線技師等の操作者が操作する放射線照射装置の操作卓５６等が配置された前室（操作室等ともいう。）Ｒｂとを備えている。
【００６４】
本実施形態では、撮影室Ｒａには、前述した放射線画像撮影装置１を装填可能なブッキー装置５１や、被写体に照射する放射線を発生させる図示しないＸ線管球を備える放射線発生装置５２が設けられている。
【００６５】
前述したように、ブッキー装置５１は、本実施形態ではカセッテ保持部（カセッテホルダ）５１ａにＣＲカセッテを装填して用いるように形成された既存のブッキー装置であり、ＣＲカセッテのみならず放射線画像撮影装置１もカセッテ保持部５１ａに装填して用いることができるようになっている。
【００６６】
図１０に示すように、本実施形態では、撮影室Ｒａには、ブッキー装置５１として立位撮影用のブッキー装置５１Ａと臥位撮影用のブッキー装置５１Ｂの設置されている。しかし、例えば、撮影室Ｒ１（図１等参照）には立位撮影用のブッキー装置５１Ａのみ、撮影室Ｒ２には臥位撮影用のブッキー装置５１Ｂのみが設けられているような場合にも本発明は適用される。
【００６７】
また、本実施形態では、放射線発生装置５２のうち、１つの放射線発生装置５２Ａは、その位置や照射線の照射方向を変えることで、立位撮影用のブッキー装置５１Ａや臥位撮影用のブッキー装置５１Ｂに装填された放射線画像撮影装置１に対して放射線を照射して放射線画像撮影を行うことができるようになっている。
【００６８】
また、本実施形態では、立位撮影用や臥位撮影用のブッキー装置５１Ａ、５１Ｂには対応付けられていないポータブルの放射線発生装置５２Ｂも設けられている。ポータブルの放射線発生装置５２Ｂは、撮影室Ｒａ内のいかなる場所にも持ち運びでき、任意の方向に放射線を照射できるようになっている。
【００６９】
そして、放射線画像撮影装置１を単独の状態（すなわちブッキー装置５１に装填しない状態）で被写体である患者の身体の部分にあてがったり、臥位撮影用のブッキー装置５１Ｂや図示しないベッドと患者の身体との間に差し込んだりした状態で、ポータブルの放射線発生装置５２Ｂを用いて、適切な距離や方向から放射線を照射することができるようになっている。
【００７０】
撮影室Ｒａ内で照射された放射線が外部に漏出しないように、撮影室Ｒａは鉛などでシールドされている。そのため、撮影室Ｒａ内で放射線画像撮影装置１からアンテナ装置４１を介して画像データＤ等の情報を送受信しようとしても、そのままでは送受信できない。そこで、本実施形態では、放射線画像撮影装置１とコンソールＣとが無線通信する際に、これらの通信を中継する無線アンテナ５３を備えた基地局（無線アクセスポイント）５４が設けられている。
【００７１】
なお、図１０では、各ブッキー装置５１と基地局５４とがケーブル等で接続されているように表されているが、これはそれらの間をケーブル等の有線方式で接続することを意味するものではなく、撮影室Ｒにもともとそれらを結ぶケーブル等が存在しない場合には新たに設ける必要はない。
【００７２】
基地局５４は、通信を中継する際、中継する情報に自らの基地局ＩＤ等の情報を付加するように構成されており、コンソールＣや管理装置Ｓは、情報に付加された基地局５４の基地局ＩＤを見ることで、その情報がどの撮影室Ｒ（Ｒ１〜Ｒ４）から送信された情報であるかを判別することができるようになっている。
【００７３】
すなわち、基地局５４は、各撮影室Ｒに１つずつ設けられているため、基地局５４の基地局ＩＤが送信されてくると、それを受信した側は当該基地局５４が設置された撮影室Ｒから送信された情報であると判別することができ、基地局５４の基地局ＩＤが撮影室Ｒの識別情報に相当している。
【００７４】
また、基地局５４には、クレードル５５が接続されている。図１１に示すように、クレードル５５は、撮影室Ｒに持ち込まれた放射線画像撮影装置１が挿入され、放射線画像撮影装置１のコネクタ３９とクレードル５５のコネクタ５５ａとが接続されると、放射線画像撮影装置１から送信されてきたカセッテＩＤを基地局５４に送信するようになっている。
【００７５】
このように、クレードル５５は、放射線画像撮影装置１が挿入されると、放射線画像撮影装置１の識別情報であるカセッテＩＤを基地局５４を介してコンソールＣや管理装置Ｓに通知するようになっており、本発明の検知手段を構成している。
【００７６】
なお、本実施形態では、このように、放射線画像撮影装置１からクレードル５５や基地局５４を介してコンソールＣや管理装置Ｓに基地局ＩＤが付与されたカセッテＩＤが送信されるが、その際、クレードル５５の識別情報であるクレードルＩＤをともに送信するように構成することも可能である。
【００７７】
また、クレードル５５は、通常、放射線画像撮影装置１等を保管したり充電するために用いられるものであり、本実施形態においても、クレードル５５が充電等の機能を有するように構成することも可能である。さらに、図１１では、放射線画像撮影装置１を挿入する挿入口が２個設けられたクレードル５５が示されているが、挿入口は１個でもよく、或いは３個以上設けられていてもよい。
【００７８】
クレードル５５は撮影室Ｒａと前室Ｒｂのいずれに設置されてもよく、撮影室Ｒａに設置される場合には、放射線発生装置５２から照射される放射線が到達しない位置、すなわち例えば各コーナー部等に設置される。
【００７９】
なお、撮影室Ｒに持ち込まれた放射線画像撮影装置１の識別情報であるカセッテＩＤをコンソールＣや管理装置Ｓに通知する検知手段としては、本実施形態のようにクレードル５５を用いる代わりに、図１２に示すように、例えば前室Ｒｂの扉付近にタグリーダ５８を設けるように構成することも可能である。
【００８０】
この場合、放射線画像撮影装置１内に、予めいわゆるＲＦＩＤ（Radio Frequency IDentification）タグ等の図示しないタグを内蔵させておき、タグに放射線画像撮影装置１のカセッテＩＤ等の固有情報を記憶させておく。
【００８１】
そして、放射線画像撮影装置１がタグリーダ５８の近傍を通過して撮影室Ｒに持ち込まれる際にタグリーダ５８で放射線画像撮影装置１のタグからカセッテＩＤを読み取り、基地局５４を介してそのカセッテＩＤをコンソールＣや管理装置Ｓに通知するように構成することも可能である。
【００８２】
このように、検知手段としてタグリーダ５８を用いるように構成すれば、放射線画像撮影装置１の撮影室Ｒ内への搬入および当該撮影室Ｒからの搬出の両方を検知することができ、好ましい。なお、この場合は、クレードル５５は例えば単に放射線画像撮影装置１の充電用等として用いられる。
【００８３】
図１０に示すように、前室Ｒｂには、放射線発生装置５２に対して放射線の照射開始等を指示するためのスイッチ手段５６等を備えた放射線の照射を制御する操作卓５７が設けられている。なお、図１０では図示が省略されているが、操作卓５７や撮影室Ｒａ内に、後述するようにコンソールＣから送信されてくる撮影オーダ情報のリストを表示するモニタ等の表示手段を備えるように構成することも可能である。
【００８４】
コンソールＣ（図１等参照）は、図示しないＣＰＵやＲＯＭ、ＲＡＭ、入出力インターフェース等がバスに接続されたコンピュータ等で構成されている。ＲＯＭには所定のプログラムが格納されており、コンソールＣは、必要なプログラムを読み出してＲＡＭの作業領域に展開してプログラムに従って各種処理を実行するようになっている。
【００８５】
コンソールＣには、ＣＲＴやＬＣＤ等からなる表示部Ｃａが設けられており、その他、キーボードやマウス等の図示しない入力手段等が接続されている。また、コンソールＣには、ハードディスク等で構成された記憶手段Ｃｂが接続されている。
【００８６】
図１に示したように、各コンソールＣ（Ｃ１〜Ｃ３）は、各撮影室Ｒ（Ｒ１〜Ｒ４）に所定の接続の仕方で接続されて予め対応付けられている。なお、図２に示したように、各コンソールＣ（Ｃ１〜Ｃ３）と各撮影室Ｒ（Ｒ１〜Ｒ４）とがネットワークＮを介して接続されている場合には、各撮影室Ｒから画像データ等が自動的に送信される場合には、当該撮影室Ｒに最も近いコンソールＣに送信されるようになっている。
【００８７】
コンソールＣでは、当該コンソールＣに対応付けられた撮影室Ｒで撮影予定の各放射線画像撮影に関する撮影オーダ情報が撮影室単位に管理され、当該撮影オーダ情報がコンソールＣから撮影室Ｒの操作卓５７に送信されることで、各撮影時の管電流や管電圧等の撮影条件が放射線発生装置５２に自動設定可能となるようになっている。
【００８８】
コンソールＣでは、放射線画像撮影に先立って、放射線技師等の操作者の識別情報である技師ＩＤが入力手段を用いて登録されるようになっている。また、コンソールＣでは、予定している放射線画像撮影で使用される放射線画像撮影装置１が指定されるようになっている。コンソールＣは、操作者により放射線画像撮影装置１が指定された段階で、コンソールＣから他のコンソールＣや管理装置Ｓに対して当該放射線画像撮影装置１の使用宣言がなされるようになっている。
【００８９】
具体的には、コンソールＣは、操作者により放射線画像撮影装置１が指定されると、放射線画像撮影装置１のカセッテＩＤと操作者の技師ＩＤとを対応付けて他のコンソールＣや管理装置Ｓに送信することで使用宣言がなされるようになっており、他のコンソールＣや管理装置Ｓは、当該放射線画像撮影装置１のカセッテＩＤと操作者の技師ＩＤとを対応付けて自らの記憶手段Ｃｂ、Ｓａに記憶する。
【００９０】
このように構成すれば、例えば他の操作者により他のコンソールＣを介して当該放射線画像撮影装置１が指定されようとした場合には、当該他のコンソールＣは、当該放射線画像撮影装置１に対して使用宣言がなされているか否か、すなわち当該放射線画像撮影装置１のカセッテＩＤと他の操作者の技師ＩＤとが対応付けられているか否かを確認し、使用宣言がなされている場合には、当該他の操作者が当該放射線画像撮影装置１を使用することができないようにすることが可能となる。
【００９１】
そのため、放射線画像撮影装置１を複数の操作者が指定することを防止することが可能となるとともに、放射線画像撮影装置１を複数の操作者が指定して後述する撮影オーダ情報と診断用放射線画像との対応付けすなわち診断用放射線画像の確定操作が混乱し、撮影オーダ情報に本来の診断用放射線画像とは別の診断用放射線画像が対応付けられてしまうことを防止することが可能となる。
【００９２】
なお、コンソールＣでの技師ＩＤの登録は、上記のように放射線画像撮影装置１に対する使用宣言等のためには必要な処理であるが、本発明の実質的な構成には必ずしも必要ではない。
【００９３】
一方、コンソールＣでは、放射線画像撮影に先立って、ネットワークＮに接続されたＨＩＳやＲＩＳから予め生成されていた放射線画像撮影の撮影オーダ情報がリスト形式で入手されるようになっている。そして、操作者は、いずれかのコンソールＣ上で、このリストから、撮影室Ｒで撮影を行うオーダ情報を予め選択するようになっている。
【００９４】
本実施形態では、撮影オーダ情報は、図１３に例示するように、患者情報としての「患者ＩＤ」Ｐ２、「患者氏名」Ｐ３、「性別」Ｐ４、「年齢」Ｐ５、「診療科」Ｐ６及び撮影条件としての「撮影部位」Ｐ７、「撮影方向」Ｐ８、使用予定のブッキー装置５１の「ブッキーＩＤ」Ｐ９等で構成されるようになっている。そして、撮影オーダを受け付けた順に、各撮影オーダ情報に対して「撮影オーダＩＤ」Ｐ１が自動的に割り当てられるようになっている。
【００９５】
なお、撮影オーダ情報に書き込む患者情報や撮影条件の内容は、上記のものに限定されず、例えば、患者の生年月日、診察回数、放射線の線量、太っているか痩せているか等の情報を含むように構成することも可能であり、適宜設定することができる。
【００９６】
ＨＩＳやＲＩＳから放射線画像撮影の撮影オーダ情報を取得すると、コンソールＣの表示部Ｃａには、図１４に示すように、リスト形式の各撮影オーダ情報の一覧が選択画面Ｈ１として表示されるようになっている。
【００９７】
本実施形態では、選択画面Ｈ１には、各撮影オーダ情報の一覧を表示するための撮影オーダ情報表示欄ｈ１１が設けられており、撮影オーダ情報表示欄ｈ１１の左側には、目的の撮影室Ｒで撮影する予定の撮影オーダ情報を選択するための選択ボタンｈ１２が各撮影オーダ情報に対応して設けられている。また、撮影オーダ情報表示欄ｈ１１の下側には、決定ボタンｈ１３及び戻るボタンｈ１４が設けられている。
【００９８】
操作者は、選択ボタンｈ１２をクリックして撮影室Ｒで撮影する予定の撮影オーダ情報を単数または複数選択し、決定ボタンｈ１３をクリックする。そして、決定ボタンｈ１３がクリックされると、選択された撮影オーダ情報が、コンソールＣの記憶手段Ｃｂに記憶され、また、当該コンソールＣに対応付けられた撮影室Ｒの操作卓５７に送信されるとともに、本実施形態では、管理装置Ｓにも選択された撮影オーダ情報が送信されるようになっている。
【００９９】
なお、選択された撮影オーダ情報を管理装置Ｓに送信する際には、例えば、選択された撮影オーダ情報の各「撮影オーダＩＤ」Ｐ１のみが送信されるように構成してもよく、或いは、単に選択された撮影オーダ情報の数のみが送信されるように構成することも可能である。
【０１００】
コンソールＣは、撮影室Ｒに持ち込まれた放射線画像撮影装置１がクレードル５５に挿入され、放射線画像撮影装置１からクレードル５５や基地局５４を介してカセッテＩＤが通知され、或いは、持ち込まれる際にタグがタグリーダ５８に読み取られて基地局５４を介してカセッテＩＤが通知されてくると、基地局ＩＤ等が付与されたカセッテＩＤを管理装置Ｓに送信するようになっている。
【０１０１】
一方、撮影室Ｒで放射線画像撮影が終了した段階で、アンテナ装置４１や基地局５４を介して放射線画像撮影装置１からカセッテＩＤが付与された間引きデータＤｔが送信されてくると、コンソールＣは、当該間引きデータＤｔに基づくプレビュー画像を表示部Ｃａに表示するようになっている。
【０１０２】
また、放射線画像撮影装置１からアンテナ装置４１や基地局５４を介してカセッテＩＤが付与された画像データＤやダーク読取値ｄ（或いはオフセット補正値Ｏ）が送信されてくると、コンソールＣは、当該画像データＤに対応する間引きデータＤｔに基づくプレビュー画像を見た操作者により再撮影の入力がなされた場合には、放射線画像撮影装置１から送信されてきた画像データＤやダーク読取値ｄ或いはオフセット補正値Ｏを破棄するようになっている。この場合、コンソールＣからは、後述する当該放射線画像撮影装置１から画像データＤ等が送信されてきたことを表す信号は管理装置Ｓには送信されない。
【０１０３】
また、コンソールＣは、当該画像データＤに対応する間引きデータＤｔに基づくプレビュー画像を見た操作者により撮影続行の入力がなされている場合（すなわち再撮影を行わない場合）には、当該画像データＤ等を一旦記憶手段Ｃｂに保存した後、当該画像データＤに画像処理を施して診断用放射線画像を生成するようになっている。
【０１０４】
生成された診断用放射線画像は、画像データＤを送信してきた放射線画像撮影装置１の識別情報であるカセッテＩＤに対応付けられて当該コンソールＣの記憶手段Ｃｂに保存される。また、本実施形態では、コンソールＣは、放射線画像撮影装置１から当該画像データＤ等を受信した段階で、放射線画像撮影装置１のカセッテＩＤとともに当該放射線画像撮影装置１から画像データＤ等が送信されてきたことを表す信号と当該画像データＤの識別情報である画像データＩＤとを管理装置Ｓに送信するようになっている。
【０１０５】
管理装置Ｓ（図１等参照）は、図示しないＣＰＵやＲＯＭ、ＲＡＭ、入出力インターフェース等がバスに接続されたサーバコンピュータ等で構成されている。また、管理装置Ｓには、ハードディスク等で構成された記憶手段Ｓａが接続されており、記憶手段Ｓａには、撮影室Ｒの識別情報である撮影室ＩＤと、撮影室Ｒ内に設けられた基地局５４の基地局ＩＤとが対応付けられたテーブルが予め記憶されている。
【０１０６】
そして、管理装置Ｓは、基地局５４を介し、図１に示すシステムではコンソールＣを介し、図２に示すシステムではネットワークＮを介して種々の情報が送信されてくると、テーブルを参照して情報に付加されている基地局５４の基地局ＩＤに対応する撮影室Ｒの撮影室ＩＤを割り出し、当該情報が割り出された撮影室Ｒから送信された情報であると判別するようになっている。
【０１０７】
管理装置Ｓは、放射線画像撮影装置１の識別情報であるカセッテＩＤと撮影室Ｒの識別情報である撮影室ＩＤとを対応付けて、放射線画像撮影装置１が複数の撮影室Ｒ１〜Ｒ４のうちのいずれの撮影室Ｒに存在するか、或いはいずれの撮影室Ｒにも存在しないかを管理するようになっている。
【０１０８】
具体的には、放射線画像撮影装置１が撮影室Ｒに持ち込まれて検知手段であるクレードル５５に挿入され、或いは、撮影室Ｒに持ち込まれる放射線画像撮影装置１のカセッテＩＤが検知手段であるタグリーダ５８で読み取られて、クレードル５５やタグリーダ５８から基地局５４を介して放射線画像撮影装置１の識別情報であるカセッテＩＤが基地局ＩＤとともに通知されてくると、管理装置Ｓは、当該基地局ＩＤに対応する撮影室Ｒの識別情報である撮影室ＩＤを割り出し、撮影室ＩＤと放射線画像撮影装置１のカセッテＩＤとを対応付けて記憶手段Ｓａに保存する。
【０１０９】
その際、当該放射線画像撮影装置１がこの放射線画像撮影システム１００に新たに導入されたような場合には、上記のようにして撮影室ＩＤと新たに導入された放射線画像撮影装置１のカセッテＩＤとが対応付けられて記憶手段Ｓａに保存されるだけである。しかし、当該放射線画像撮影装置１が既に放射線画像撮影システム１００で使用されていて、それ以前に、カセッテＩＤが他の撮影室Ｒの撮影室ＩＤと対応付けられていた場合には、記憶手段Ｓａにおける以前の撮影室Ｒの撮影室ＩＤと当該放射線画像撮影装置１のカセッテＩＤとの対応付けを破棄するようになっている。
【０１１０】
また、前述したように、コンソールＣ上で、使用する放射線画像撮影装置１が指定されて使用宣言がなされると、管理装置Ｓは、当該放射線画像撮影装置１のカセッテＩＤと操作者の技師ＩＤとを対応付けて記憶手段Ｓａに記憶するようになっている。
【０１１１】
一方、管理装置Ｓは、コンソールＣ上で選択された撮影オーダ情報（なお、選択された撮影オーダ情報の各「撮影オーダＩＤ」Ｐ１のみや、選択された撮影オーダ情報の数のみの場合を含む。）が送信されてくると、それらを放射線画像撮影装置１のカセッテＩＤに対応付けて記憶手段Ｓａに記憶するようになっている。その際、選択された撮影オーダ情報に技師ＩＤも対応付けて記憶するように構成することも可能である。
【０１１２】
また、管理装置Ｓは、各コンソールＣから、当該放射線画像撮影装置１から画像データＤ等が送信されてきたことを表す信号と画像データＩＤとが放射線画像撮影装置１のカセッテＩＤとともに送信されてくると、信号が送信されてきた順に各画像データＩＤを当該カセッテＩＤに対応付けられた撮影オーダ情報の上側の「撮影オーダＩＤ」Ｐ１から順にそれぞれ対応付けて記憶していくようになっている。なお、最初の段階で、コンソールＣ上で選択された撮影オーダ情報の数のみが送信されてきた場合には、管理装置Ｓは、放射線画像撮影装置１のカセッテＩＤが対応付けられた信号が送信されてきた回数をカウントするように構成される。
【０１１３】
そして、管理装置Ｓは、放射線画像撮影装置１から各コンソールＣに送信された画像データＤ等の数と、コンソールＣで予め選択された撮影オーダ情報の数が一致した時点で、当該放射線画像撮影装置１がその時点で存在している撮影室Ｒに対応付けられた一のコンソールＣ以外の各コンソールＣに対して、各コンソールＣで画像データＤ等から生成して各記憶手段Ｃｂに保存されている当該放射線画像撮影装置１のカセッテＩＤが対応付けられた診断用放射線画像を当該一のコンソールＣに送信するように指令するようになっている。
【０１１４】
そして、当該一のコンソールＣは、管理装置Ｓからの指令に基づいて他のコンソールＣから診断用放射線画像が収集されると、診断用放射線画像と撮影オーダとの対応付け、すなわち診断用放射線画像の確定操作の処理を自動的に行うようになっている。
【０１１５】
なお、前述したように、各コンソールＣは、プレビュー画像を見た操作者により撮影続行の入力がなされている場合（すなわち再撮影を行わない場合）には、放射線画像撮影装置１から送信されてきた画像データＤに画像処理を施して診断用放射線画像を生成するようになっているが、その際、当該画像データＤに対してダーク読取値ｄやオフセット補正値Ｏ等を用いた補正処理を含むデフォルトの階調処理等の画像処理を施して診断用放射線画像を生成するように構成することが可能である。
【０１１６】
この場合、上記のように管理装置Ｓからの指令に基づいて他のコンソールＣから一のコンソールＣにデフォルトの階調処理等の画像処理が施された診断用放射線画像が収集される。そこで、放射線技師等の操作者が、相互の画像比較等を行いながら、診断用放射線画像間の濃度整合性を保つべく補正を加えることが可能となる。
【０１１７】
また、放射線画像撮影装置１から各コンソールＣに画像データＤが送信されてきた段階で、各コンソールＣで、画像データＤに対して、当該画像データＤが取得された放射線画像撮影に対応する撮影オーダ情報に含まれる撮影条件や部位情報に基づく階調特性や濃度特性等に応じた画像処理を自動的に行うように構成することも可能である。
【０１１８】
この場合、画像データＤに対する画像処理を行うコンソールＣが、撮影オーダ情報を選択した最初のコンソールＣとは別のコンソールＣである場合には、当該別のコンソールＣは撮影オーダ情報を有しておらず、放射線画像撮影装置１から送信されてきた画像データＤ等がいずれの撮影オーダ情報に基づくものであるかを認識することができない。
【０１１９】
そこで、例えば、最初のコンソールＣで撮影オーダ情報を選択した際に、当該最初のコンソールＣから他のコンソールＣに選択した撮影オーダ情報のデータを送信し、他のコンソールＣが、最初のコンソールＣの識別情報であるコンソールＩＤと撮影オーダ情報とを対応付けて記憶しておくように構成することが可能である。しかし、この場合、当該他のコンソールＣは、送信されてきた画像データＤ等が選択された複数の撮影オーダ情報の中のいずれの撮影オーダ情報に基づくものかは認識できないため、画像データＤ等を受信した段階で管理装置Ｓから何番目の撮影オーダ情報に基づくものかについての情報を入手するように構成することが可能である。
【０１２０】
また、撮影オーダ情報を選択した最初のコンソールＣとは別のコンソールＣが画像データＤ等を受信した時点で、当該別のコンソールＣが、管理装置Ｓから、当該画像データＤが取得された放射線画像撮影に対応する撮影オーダ情報の全て、或いは撮影オーダ情報に含まれる撮影条件や部位情報を入手するように構成することも可能である。
【０１２１】
次に、本実施形態に係る放射線画像撮影システム１００の作用について説明する。
【０１２２】
放射線技師等の操作者は、放射線画像撮影に先立って、任意のコンソールＣ上、例えばコンソールＣ１（図１等参照）上で、必要に応じて自らの識別情報である技師ＩＤを登録する。この登録操作により、当該コンソールＣ１とそれに対応する撮影室Ｒ１が使用中の状態となる。なお、コンソールＣ３のように複数の撮影室Ｒ３、Ｒ４で共有使用している場合には、コンソールＣ３と、コンソールＣ３により指定された撮影室Ｒ（すなわち撮影室Ｒ３、Ｒ４のいずれか）が使用中となる。
【０１２３】
また、操作者は、コンソールＣ１上で、使用する放射線画像撮影装置１を指定する。この指定操作により、他のコンソールＣ２、Ｃ３や管理装置Ｓに対して当該放射線画像撮影装置１の使用宣言がなされる。使用宣言がなされると、管理装置Ｓは、当該放射線画像撮影装置１のカセッテＩＤと操作者の技師ＩＤとを対応付けて記憶手段Ｓａに記憶する。
【０１２４】
操作者は、続いて、コンソールＣ１上で、ネットワークＮに接続されたＨＩＳやＲＩＳから予め生成されていた放射線画像撮影の撮影オーダ情報のリストを入手する。コンソールＣ１の表示部Ｃａには、図１４に示したような選択画面Ｈ１が表示される。操作者は、選択ボタンｈ１２をクリックして撮影予定の撮影オーダ情報を単数または複数選択し、決定ボタンｈ１３をクリックする。
【０１２５】
撮影予定の撮影オーダ情報が選択されると、選択された撮影オーダ情報が、当該コンソールＣ１の記憶手段Ｃｂに記憶されるとともに、当該コンソールＣ１に対応付けられた撮影室Ｒ１の操作卓５７に送信される。また、それとともに、管理装置Ｓにも選択された撮影オーダ情報（選択された撮影オーダ情報の各「撮影オーダＩＤ」Ｐ１のみや、選択された撮影オーダ情報の数のみの場合を含む。以下同じ。）が送信される。
【０１２６】
なお、コンソールＣ３のように、複数の撮影室Ｒ３、Ｒ４で共有されている場合、このように撮影予定の撮影オーダ情報が選択されて、撮影室Ｒ３、Ｒ４のいずれかの操作卓５７に送信された段階で、その撮影オーダ情報が送信された撮影室Ｒ（すなわち撮影室Ｒ３、Ｒ４のいずれか）が指定されたことになり、使用中の状態となる。
【０１２７】
また、操作者により放射線画像撮影装置１が持ち込まれ、撮影室Ｒ３または撮影室Ｒ４の検知手段から当該放射線画像撮影装置１の識別情報であるカセッテＩＤが通知されてきた時点で、当該撮影室Ｒが指定されたことになり、使用中の状態となるように構成することも可能である。後者の場合には、撮影室Ｒ３または撮影室Ｒ４の検知手段から当該放射線画像撮影装置１のカセッテＩＤが通知されてきた時点で、カセッテＩＤを送信してきた撮影室Ｒに撮影オーダ情報を送信するように構成することも可能である。
【０１２８】
管理装置Ｓでは、撮影オーダ情報が送信されてくると、それらの撮影オーダ情報を、当該コンソールＣ１で指定された放射線画像撮影装置１の識別情報であるカセッテＩＤに対応付けて記憶手段Ｓａに記憶する。
【０１２９】
操作者が所定の前処理を終了し、指定した放射線画像撮影装置１をコンソールＣ１と対応付けられた撮影室Ｒ１に持ち込んで、患者を撮影室Ｒ１に誘導する。その際、撮影室Ｒ１の前室Ｒｂの扉付近に検知手段としてのタグリーダ５８が設けられていれば、タグリーダ５８で読み取られた放射線画像撮影装置１のカセッテＩＤが当該撮影室Ｒの基地局５４を介して基地局ＩＤを付与された状態でコンソールＣ１に通知される。
【０１３０】
また、クレードル５５が検知手段として機能する場合には、操作者は撮影室Ｒ１内に持ち込んだ放射線画像撮影装置１をクレードル５５に挿入する。放射線画像撮影装置１はクレードル５５に挿入されると、クレードル５５を介して基地局５４に自らのカセッテＩＤを通知する。そして、基地局５４は、放射線画像撮影装置１のカセッテＩＤに自らの基地局ＩＤを付与してコンソールＣ１に通知する。
【０１３１】
コンソールＣ１は、撮影室Ｒ１の基地局５４から基地局ＩＤ等が付与されたカセッテＩＤが通知されてくると、その情報を管理装置Ｓに送信する。管理装置Ｓは、前述したテーブルを参照して基地局ＩＤに対応する撮影室Ｒ１の撮影室ＩＤを割り出し、放射線画像撮影装置１のカセッテＩＤと撮影室Ｒ１の撮影室ＩＤとを対応付けて記憶手段Ｓａに保存する。
【０１３２】
そして、撮影室Ｒ１で、１番目の撮影オーダ情報に基づく放射線画像撮影が行われ、それが終了した段階で、放射線画像撮影装置１のアンテナ装置４１や基地局５４を介して放射線画像撮影装置１からカセッテＩＤが付与された間引きデータＤｔが送信されてくると、コンソールＣ１は、当該間引きデータＤｔに基づくプレビュー画像を表示部Ｃａに表示する。
【０１３３】
操作者は、放射線画像撮影装置１を撮影室Ｒ１に残した状態で、コンソールＣ１の所に移動する。その移動の間に、放射線画像撮影装置１は自動的にダーク読取処理を行い、継続して、カセッテＩＤを付与した状態で画像データＤとダーク読取値ｄをアンテナ装置４１を介し基地局５４を介してコンソールＣ１に送信し続ける。なお、ダーク読取処理を複数回行い、各回で得られたダーク読取値ｄの平均値を算出する等してオフセット補正値Ｏを算出し、それを画像データＤとともに送信するように構成してもよいことや、撮影室Ｒにおける単独或いは一連の放射線画像撮影が開始される前にダーク読取処理を行うように構成することも可能であることは前述したとおりである。
【０１３４】
コンソールＣ１の所に移動した操作者は、既にコンソールＣ１の表示部Ｃａに表示されているプレビュー画像を見て、被写体が放射線画像上に撮影されているか否かや被写体が放射線画像上の適切な位置に撮影されているか否か等を確認する。そして、正しく撮影されていないと判断した場合には、コンソールＣ１を操作して、再撮影の入力を行う。コンソールＣ１は、再撮影の入力が行われると、放射線画像撮影装置１から送信されてきた画像データＤやダーク読取値ｄ（或いはオフセット補正値Ｏ。以下同じ。）を破棄する。
【０１３５】
また、コンソールＣ１は、プレビュー画像を確認した操作者が、再撮影をせず次の撮影を行うことを表す撮影続行の入力がなされた場合には、放射線画像撮影装置１から送信されてきた画像データＤ等を当該放射線画像撮影装置１のカセッテＩＤと対応付けて一旦記憶手段Ｃｂに保存する。
【０１３６】
また、コンソールＣ１は、撮影続行の場合には、放射線画像撮影装置１から画像データＤ等を受信した段階で、管理装置Ｓに、当該放射線画像撮影装置１から画像データＤ等が送信されてきたことを表す信号と当該画像データＤの識別情報である画像データＩＤとを放射線画像撮影装置１のカセッテＩＤとともに送信する。
【０１３７】
管理装置Ｓは、コンソールＣ１から、前記信号と画像データＩＤとがカセッテＩＤとともに送信されてくると、既に記憶している当該カセッテＩＤに対応付けられた撮影オーダ情報の１番目の「撮影オーダＩＤ」Ｐ１に画像データＩＤを対応付けて記憶する。なお、最初の段階で、コンソールＣ１上で選択された撮影オーダ情報の数のみが送信されてきた場合には、管理装置Ｓは、信号がカセッテＩＤとともに送信されてきた段階で、当該カセッテＩＤの回数として１をカウントして記憶手段Ｓａに記憶させる。
【０１３８】
そして、コンソールＣ１は、以上の処理を終えた後、自動的に当該画像データＤに対してダーク読取値ｄやオフセット補正値Ｏ等を用いた補正処理を含む画像処理を施して、１番目の撮影オーダ情報に基づく診断用放射線画像を生成し、生成した診断用放射線画像を画像データＩＤと対応付けて自らの記憶手段Ｃｂに保存する。
【０１３９】
操作者は、コンソールＣ１に対して撮影続行の入力を行うと、撮影室Ｒ１に戻る。なお、この時点で、放射線画像撮影装置１によるダーク読取処理や画像データＤ、ダーク読取値ｄ等を送信は完了している。そして、次の放射線画像撮影が例えば撮影室Ｒ２で行われる場合には、操作者は、放射線画像撮影装置１を撮影室Ｒ１から撮影室Ｒ２に持ち運ぶ。
【０１４０】
その際、タグリーダ５８が設けられている場合には、放射線画像撮影装置１が持ち出されたことを撮影室Ｒ１のタグリーダ５８が検知して、コンソールＣ１と管理装置Ｓに、放射線画像撮影装置１が撮影室Ｒ１から持ち出されたことを通知する。コンソールＣ１は、この通知を受信すると、当該コンソールＣ１と撮影室Ｒ１との使用中の状態を解除する。すなわち、他の操作者がコンソールＣ１を使用可能となる。また、管理装置Ｓは、当該放射線画像撮影装置１のカセッテＩＤと撮影室Ｒ１の撮影室ＩＤとの対応付けを解除する。
【０１４１】
また、操作者が次の撮影室Ｒ２に放射線画像撮影装置１を持ち込むと、撮影室Ｒ２のタグリーダ５８がカセッテＩＤを読み取り、或いは、操作者が放射線画像撮影装置１を撮影室Ｒ２に持ち込んで撮影室Ｒ２の検知手段であるクレードル５５に挿入すると、放射線画像撮影装置１のカセッテＩＤが、撮影室Ｒ２の基地局ＩＤを介し、撮影室Ｒ２の基地局ＩＤが付与された状態で、撮影室Ｒ２に予め対応付けられているコンソールＣ２に通知される。
【０１４２】
コンソールＣ２は、撮影室Ｒ２の基地局５４から基地局ＩＤ等が付与されたカセッテＩＤが通知されてくると、当該コンソールＣ２とそれに対応する撮影室Ｒ２とを使用中の状態とする。そして、その情報を管理装置Ｓに送信する。管理装置Ｓは、前述したテーブルを参照して基地局ＩＤに対応する撮影室Ｒ２の撮影室ＩＤを割り出し、放射線画像撮影装置１のカセッテＩＤと撮影室Ｒ２の撮影室ＩＤとを対応付けて記憶手段Ｓａに保存する。
【０１４３】
なお、検知手段がクレードル５５である場合には、コンソールＣ２は、放射線画像撮影装置１が撮影室Ｒ２のクレードル５５に挿入され、撮影室Ｒ２の基地局５４から基地局ＩＤ等が付与されたカセッテＩＤが通知されてきた時点で当該コンソールＣ２と撮影室Ｒ２とを使用中の状態とするとともに、他のコンソールＣ１、Ｃ３に当該カセッテＩＤを送信する。そして、コンソールＣ１は、コンソールＣ２からカセッテＩＤが送信されてくると、当該放射線画像撮影装置１が撮影室Ｒ２に搬送されたと判断して、当該コンソールＣ２と撮影室Ｒ２との使用中の状態を解除する。
【０１４４】
また、管理装置Ｓは、コンソールＣ２から通知されてきた放射線画像撮影装置１のカセッテＩＤは、それ以前に他の撮影室Ｒ１の撮影室ＩＤと対応付けられていたものであるため、記憶手段Ｓａにおける以前の撮影室Ｒ１の撮影室ＩＤと当該放射線画像撮影装置１のカセッテＩＤとの対応付けを破棄したうえで、カセッテＩＤと撮影室Ｒ２の撮影室ＩＤとを対応付けて記憶手段Ｓａに保存する。
【０１４５】
撮影室Ｒ２で、２番目の撮影オーダ情報に基づく放射線画像撮影が行われ、それが終了した後の処理は、上記の場合と同様である。すなわち、放射線画像撮影装置１のアンテナ装置４１や撮影室Ｒ２の基地局５４を介して放射線画像撮影装置１からカセッテＩＤが付与された間引きデータＤｔが送信されてくると、コンソールＣ２は、当該間引きデータＤｔに基づくプレビュー画像を表示部Ｃａに表示し、操作者が、放射線画像撮影装置１を撮影室Ｒ２に残した状態で、コンソールＣ２の所に移動してプレビュー画像を確認する。
【０１４６】
また、その際、撮影室Ｒ２に残された放射線画像撮影装置１は自動的にダーク読取処理を行い、カセッテＩＤを付与した状態で画像データＤとダーク読取値ｄをアンテナ装置４１や基地局５４を介してコンソールＣ２に送信し、コンソールＣ２は、操作者が再撮影の入力を行えば、画像データＤやダーク読取値ｄを破棄し、操作者が撮影続行の入力を行えば、放射線画像撮影装置１から送信されてきた画像データＤ等をカセッテＩＤと対応付けて記憶手段Ｃｂに保存する。
【０１４７】
また、コンソールＣ２は、撮影続行の場合には、放射線画像撮影装置１から画像データＤ等を受信した段階で、管理装置ＳにカセッテＩＤとともに信号と当該画像データＤの識別情報である画像データＩＤとを送信する。そして、管理装置Ｓは、コンソールＣ２から前記信号と画像データＩＤとがカセッテＩＤとともに送信されてくると、画像データＩＤを当該カセッテＩＤに対応付けられた撮影オーダ情報の２番目の「撮影オーダＩＤ」Ｐ１に対応付けて記憶する。なお、最初の段階で、選択された撮影オーダ情報の数のみが送信されてきた場合には、管理装置Ｓは、信号がカセッテＩＤとともに送信されてきた段階で、当該カセッテＩＤの回数として２をカウントして記憶手段Ｓａに記憶させる。
【０１４８】
そして、コンソールＣ２は、以上の処理を終えた後、前述したように、自動的に当該画像データＤに対してダーク読取値ｄやオフセット補正値Ｏ等を用いた補正処理を含む画像処理を施して、２番目の撮影オーダ情報に基づく診断用放射線画像を生成し、生成した診断用放射線画像を画像データＩＤと対応付けて自らの記憶手段Ｃｂに保存する。
【０１４９】
なお、この場合、コンソールＣ２が、自らが生成した診断用放射線画像が２番目の撮影オーダ情報に基づく診断用放射線画像であることを認識しないように構成されている場合には、前述したように、画像データＤに対して、ダーク読取値ｄやオフセット補正値Ｏ等を用いた補正処理を含むデフォルトの階調処理等の画像処理を施して診断用放射線画像を生成する。
【０１５０】
また、前述したように、コンソールＣ１で最初に撮影オーダ情報を選択した段階で他のコンソールＣ２、Ｃ３に送信した撮影オーダ情報や、或いは、コンソールＣ２が管理装置Ｓから入手した撮影オーダ情報に基づいて、画像データＤに画像処理を施して、２番目の撮影オーダ情報に基づく診断用放射線画像を生成する。
【０１５１】
以上のようにして、放射線画像撮影装置１が撮影室Ｒ間を持ち運ばれるたびに、放射線画像撮影装置１が持ち込まれた撮影室Ｒのクレードル５５やタグリーダ５８等の検知手段からの通知に基づく管理装置ＳでのカセッテＩＤと撮影室ＩＤの対応付けや、放射線画像撮影後の放射線画像撮影装置１からの間引きデータＤｔの送信、コンソールＣ上でのプレビュー画像の表示、操作者による再撮影要否の確認、それと並行して行われる放射線画像撮影装置１でのダーク読取処理および画像データＤとダーク読取値ｄのコンソールＣへの送信、再撮影の入力に伴う画像データＤ等の破棄或いは撮影続行の入力に伴う画像データＤ等の保存およびコンソールＣから管理装置Ｓへの信号および画像データＩＤの送信、管理装置Ｓにおける画像データＩＤの撮影オーダ情報への対応付け（或いはカウント）、およびコンソールＣでの画像データＤに対する画像処理による診断用放射線画像の生成等が、繰り返し行われる。
【０１５２】
従って、各コンソールＣには、当該コンソールＣに対応する撮影室Ｒで当該カセッテＩＤを有する放射線画像撮影装置１により取得された画像データＤ等に基づく診断用放射線画像が、当該カセッテＩＤに対応付けられた状態で、それぞれ記憶手段Ｃｂに蓄積された状態となる。
【０１５３】
そして、例えば、操作者が、撮影室Ｒ４（図１等参照）まで移動して、当該放射線画像撮影装置１を用いて選択した撮影オーダ情報の最後の放射線画像撮影を行い、放射線画像撮影装置１からコンソールＣ３に送信された間引きデータＤｔに基づくプレビュー画像をコンソールＣ３の表示部Ｃａ上で確認し、撮影続行の入力（或いは、この場合は撮影オーダ情報に基づく最後の放射線画像撮影であるから診断用放射線画像と撮影オーダとの対応付け確定操作を指示する入力を行うように構成してもよい。）を行うと、コンソールＣ３から管理装置Ｓに、当該放射線画像撮影装置１から画像データＤ等が送信されてきたことを表す信号がカセッテＩＤとともに送信される。
【０１５４】
そして、コンソールＣ３では、当該放射線画像撮影装置１から送信されてきた画像データＤに対してダーク読取値ｄやオフセット補正値Ｏ等を用いて行う画像処理が自動的に開始され、最後の撮影オーダ情報に基づく診断用放射線画像が生成されて記憶手段Ｃｂに保存される。
【０１５５】
また、管理装置Ｓは、コンソールＣ３から、前記信号がカセッテＩＤとともに送信されてくると、それを既に記憶している前記撮影オーダ情報の各「撮影オーダＩＤ」Ｐ１にそれぞれ対応付けて記憶する。
【０１５６】
そして、管理装置Ｓは、この時点で、放射線画像撮影装置１から各コンソールＣに送信された画像データＤ等の数と、コンソールＣ１で予め選択された撮影オーダ情報の数が一致したと判断して、当該放射線画像撮影装置１がその時点で存在している撮影室Ｒ４に対応付けられた一のコンソールＣ３以外の各コンソールＣ１、Ｃ２に対して、各コンソールＣ１、Ｃ２で既に画像データＤ等から生成して各記憶手段Ｃｂに保存されている当該放射線画像撮影装置１のカセッテＩＤが対応付けられた診断用放射線画像を当該一のコンソールＣ３に送信するように指令する。
【０１５７】
他のコンソールＣ１、Ｃ２は、当該指令に基づいて、自らの記憶手段Ｃｂに記憶されている、当該放射線画像撮影装置１のカセッテＩＤと対応付けられている診断用放射線画像をコンソールＣ３に送信するとともに、自らの記憶手段Ｃｂから、当該カセッテＩＤと対応付けられている診断用放射線画像や画像データＤ等を削除する。なお、診断用放射線画像の送信の際、必要に応じて画像データＤやダーク読取値ｄ（或いはオフセット補正値Ｏ）、間引きデータＤｔ等もあわせて送信するように構成することも可能である。
【０１５８】
また、管理装置Ｓは、他のコンソールＣ１、Ｃ２に対する指令と同時に、コンソールＣ３に対して、当該放射線画像撮影装置１のカセッテＩＤと対応付けられ、各画像データＩＤが各「撮影オーダＩＤ」Ｐ１に対応付けられた撮影オーダ情報を送信する。
【０１５９】
このようにして、当該放射線画像撮影装置１に対応付けられた撮影オーダ情報に基づく全ての放射線画像撮影が終了すると、最後の撮影が行われた撮影室Ｒに対応するコンソールＣに管理装置Ｓから撮影オーダ情報が送信されるとともに、撮影オーダ情報の各「撮影オーダＩＤ」Ｐ１に対応付けられた各画像データＩＤに対応する診断用放射線画像等のうち、当該コンソールＣで生成したもの以外の診断用放射線画像等が他のコンソールＣから当該コンソールＣに送信され、当該コンソールＣに、撮影オーダ情報と、それに基づく全ての診断用放射線画像等が収集され、診断用放射線画像と撮影オーダとの対応付けすなわち診断用放射線画像の確定操作の処理が自動的に行われる。
【０１６０】
なお、最初の段階で、選択された撮影オーダ情報の数のみが管理装置Ｓに送信されるように構成されている場合は、管理装置Ｓは、カウントが撮影オーダ情報の数に達した時点で、最後の撮影が行われた撮影室Ｒに対応する一のコンソールＣ以外のコンソールＣに対して当該放射線画像撮影装置１のカセッテＩＤが対応付けられた診断用放射線画像を当該一のコンソールＣに送信するように指令するとともに、当該一のコンソールＣに対しては撮影オーダ情報が記憶されているコンソールＣ（上記の場合はコンソールＣ１）のＩＤを送信し、一のコンソールＣがそれに基づいて他のコンソールＣに対して撮影オーダ情報の送信を要求して、撮影オーダ情報を入手する。
【０１６１】
しかし、この場合は、撮影オーダ情報の各「撮影オーダＩＤ」Ｐ１に各画像データＩＤが対応付けられていない。そのため、当該一のコンソールＣは、各コンソールＣから送信されてきた診断用放射線画像に付帯情報として付されている画像データＤの送信時間等を参照して、撮影オーダ情報の各「撮影オーダＩＤ」Ｐ１の上側から順に、画像データＤの送信時間が早い順に診断用放射線画像等を割り当てていく等の処理を行って、撮影オーダ情報の各「撮影オーダＩＤ」Ｐ１と各診断用放射線画像等とを対応付ける。なお、この撮影オーダ情報の各「撮影オーダＩＤ」Ｐ１と各診断用放射線画像等との対応付けを、操作者が自ら確認しながら行うように構成することも可能である。
【０１６２】
そして、上記のように、最後の撮影が行われた撮影室Ｒに対応するコンソールＣに対して、選択された撮影オーダ情報の各「撮影オーダＩＤ」Ｐ１に対応付けられた各画像データＩＤに対応する診断用放射線画像が全て収集され、選択した撮影オーダ情報と診断用放射線画像との対応付け（すなわち診断用放射線画像の確定操作）が完了したと操作者が判断した段階で、当該コンソールＣに対して確定の入力がなされると、当該コンソールＣから他のコンソールＣや管理装置Ｓに対して確定信号が発信される。他のコンソールＣや管理装置Ｓは、確定信号を受信すると、当該放射線画像撮影装置１に対する使用宣言を解除する。
【０１６３】
このように構成すれば、放射線画像撮影装置１を用いて行う予定の放射線画像撮影が全て終了し、選択した撮影オーダ情報と診断用放射線画像との対応付けが完了した後に、当該放射線画像撮影装置１に対する使用宣言が解除されるため、その後、他の操作者が当該放射線画像撮影装置１を使用しても、既に確定した撮影オーダ情報と診断用放射線画像との対応付けは何ら影響を受けない。そして、他の操作者が自由に当該放射線画像撮影装置１を使用することが可能となる。
【０１６４】
なお、前述したように、各コンソールＣで画像データＤに対してダーク読取値ｄやオフセット補正値Ｏ等を用いた補正処理を含むデフォルトの階調処理等の画像処理を施して診断用放射線画像を生成するように構成されている場合には、上記のように収集されたデフォルトの階調処理等の画像処理が施された診断用放射線画像に対して、放射線技師等の操作者が、相互の画像比較等を行いながら、診断用放射線画像間の濃度整合性を保つべく補正を加えることが可能となる。
【０１６５】
以上のように、本実施形態に係る放射線画像撮影システム１００によれば、放射線技師等の操作者により、放射線画像撮影装置１が撮影室Ｒ間を持ち運ばれるたびに、放射線画像撮影装置１が持ち込まれた撮影室Ｒの検知手段からの通知に基づいて管理装置Ｓで当該放射線画像撮影装置１がいずれの撮影室Ｒに存在するかが管理される。また、放射線画像撮影後、放射線画像撮影装置１から間引きデータＤｔが当該撮影室Ｒに予め対応付けられた、当該撮影室Ｒ近傍のコンソールＣに送信され、コンソールＣの表示部Ｃａ上にプレビュー画像が表示される。
【０１６６】
そのため、操作者は、撮影室Ｒ近傍のコンソールＣの所に移動すれば即座にプレビュー画像を確認して再撮影の要否等を容易に判断することが可能となり、本実施形態に係る放射線画像撮影システム１００は、操作者にとって非常に使い勝手がよいものとなる。
【０１６７】
また、放射線画像撮影装置１ではダーク読取処理等が自動的に行われ、画像データＤ（rawデータ）やダーク読取値ｄのコンソールＣへの送信が自動的に行われ、操作者が再撮影の必要がないと判断した場合には、コンソールＣでの画像データＤに対する画像処理による診断用放射線画像の生成等が例えば撮影オーダ情報に含まれる撮影条件や部位情報に基づいて自動的に行われる。そのため、本実施形態に係る放射線画像撮影システム１００は、この点でも操作者にとって非常に使い勝手がよいものとなるとともに、放射線画像撮影や画像データの処理等を効率良く行うことが可能となる。
【０１６８】
さらに、当該放射線画像撮影装置１に対応付けられた撮影オーダ情報に基づく全ての放射線画像撮影が終了すると、管理装置Ｓからの指令に基づいて、最後の撮影が行われた撮影室Ｒ近傍のコンソールＣに、当該撮影オーダ情報に基づいて撮影された画像データＤ等に基づく全ての診断用放射線画像が自動的に収集され、診断用放射線画像と撮影オーダとの対応付け、すなわち診断用放射線画像の確定操作の処理が自動的に行われる。
【０１６９】
そのため、操作者は、最後の撮影が行われた撮影室Ｒ近傍のコンソールＣ以外の、最後の撮影が行われた撮影室Ｒから遠い位置にあるコンソールＣの所に行って処理を行う必要がなくなり、本実施形態に係る放射線画像撮影システム１００は、この点においても操作者にとって非常に使い勝手がよいものとなる。また、既に各コンソールＣで画像処理等が終了している診断用放射線画像が収集されるため、操作者が画像データＤに基づく画像処理等を行う必要がない。そのため、放射線画像撮影や画像データの処理等を効率良く行うことが可能となる。
【０１７０】
なお、診断用放射線画像に対してさらに的確な画像処理を行う必要があるか否かの画像検査を行うために、生成された診断用放射線画像がＱＡステーションに送信されるように構成されている放射線画像撮影システム１００もある。このような場合には、例えば、上記のように各コンソールＣで自動的に診断用放射線画像を生成した後、各コンソールＣから当該診断用放射線画像をＱＡステーションに送信して画像検査を行うように構成することが可能である。
【０１７１】
また、操作者が任意のタイミングで修正を行うことができるようにするために、操作者が放射線画像撮影装置１を持ち運んで撮影室Ｒ間を移動するごとに、撮影室Ｒの検知手段から当該放射線画像撮影装置１が撮影室Ｒに搬入されたことを通知されたコンソールＣに対して、他のコンソールＣから当該放射線画像撮影装置１のカセッテＩＤが対応付けられた診断用放射線画像を転送するように構成し、操作者の撮影室Ｒ間の移動にあわせて各診断用放射線画像もコンソールＣ間を転送するように構成することも可能である。
【０１７２】
このように構成すると、操作者が、任意のタイミングで、最寄りのコンソールＣにおいて、修正の指示がなされた診断用放射線画像の修正を行うこと等が可能になる。しかし、操作者の撮影室Ｒ間の移動のたびに診断用放射線画像等をコンソールＣ間で転送することになり、放射線画像撮影システム１００全体としての処理の効率が必ずしも良くならない。また、操作者の撮影室Ｒ間の移動回数が増えると、その分、転送される診断用放射線画像の数も増えていくため、ネットワークの通信量が増大し、ネットワークレスポンスの低下を招く可能性があり、この点においても必ずしも効率的とは言い難い。
【０１７３】
そこで、操作者が最寄りのコンソールＣ等を操作して放射線画像撮影装置１のカセッテＩＤと画像収集指令を入力することで、当該コンソールＣが他のコンソールＣに対して、当該カセッテＩＤが対応付けられた診断用放射線画像を当該コンソールＣに送信するように指令することができるように構成することも可能である。
【０１７４】
このように構成すれば、放射線技師等の操作者が、選択した撮影オーダ情報で設定された放射線画像撮影を全て終了するまで待つことなく、任意のタイミングで、必要に応じて任意のコンソールＣに、それまでに撮影が行われて生成された全ての診断用放射線画像を収集することが可能となり、操作者にとって放射線画像撮影システム１００が使い勝手がよいものとなる。
【０１７５】
なお、その他、本発明が本実施の形態に限定されず、適宜変更可能であることはいうまでもない。
【０１７６】
例えば、予め選択した撮影オーダ情報の選択順とは異なる順番で撮影を行った場合（なお、この場合、自動設定されていた撮影条件を操作者が操作卓５７で入力し直して変更設定して各撮影を行う）、最後の放射線画像撮影を行った後、最後に撮影を行った撮影室Ｒに対応付けられたコンソールＣ上で、各撮影オーダ情報に１：１に対応付けられていた一連の診断用放射線画像のデータの対応付けを、実際の撮影順に対応するように修正することも可能である。
【０１７７】
また、被写体状況により、予め設定されていた全ての撮影を行えなかった場合、例えば、被写体が自立困難で立位撮影が行えなかったような場合には、最後の撮影終了後に、一連の撮影の終了を、最後の撮影を行った撮影室Ｒに近いコンソールＣ上で入力宣言することにより、既に撮影を終えていた画像データＤを当該コンソールＣに集結させ、撮影オーダと対応付けることとしても良い。
【符号の説明】
【０１７８】
１  放射線画像撮影装置（可搬型放射線画像撮影装置）
７  放射線検出素子
５５  クレードル（検知手段）
５８  タグリーダ（検知手段）
１００  放射線画像撮影システム
Ｃ  コンソール
Ｃ１〜Ｃ３  複数のコンソール
Ｃａ  表示部
Ｄ  画像データ
ｄ  ダーク読取値
Ｄｔ  間引きデータ
Ｏ  オフセット補正値
Ｒ  撮影室
Ｒ１〜Ｒ４  複数の撮影室
Ｓ  管理装置
【図１】
0005640367.tif 000002
【図２】
0005640367.tif 000003
【図３】
0005640367.tif 000004
【図４】
0005640367.tif 000005
【図５】
0005640367.tif 000006
【図６】
0005640367.tif 000007
【図７】
0005640367.tif 000008
【図８】
0005640367.tif 000009
【図９】
0005640367.tif 000010
【図１０】
0005640367.tif 000011
【図１１】
0005640367.tif 000012
【図１２】
0005640367.tif 000013
【図１３】
0005640367.tif 000014
【図１４】
0005640367.tif 000015